(57)【特許請求の範囲】
【請求項１】
成形裁断されたシート状の段ボールを、その搬送経路後側から搬送経路前側へ移動させる過程において加工するための段ボール加工装置であって、
前記段ボールにおける所定の幅方向長さ且つ搬送経路方向長さの一部領域を切断紙片として切断するための切断手段が搬送経路途中に設けられ、前記切断手段で切断された切断紙片を段ボールから除去するための除去手段が設けられ、
該除去手段は切断紙片を押える離脱体、および該離脱体によって搬送経路前側部が段ボールから離脱された切断紙片の搬送経路後側部を段ボールから切除するためのスクレーパを備え、
前記離脱体は段ボールの搬送経路に沿う移動に伴って、切断紙片をその搬送経路前側部から搬送経路後側部に至るよう押えるものであり、前記スクレーパは、段ボールの搬送経路に沿う移動に伴って段ボールと切断紙片との間に挿入されるものであることを特徴とする段ボール加工装置。
【請求項２】
除去手段は搬送経路において、切断手段の搬送経路前側直近に配設されていることを特徴とする請求項１記載の段ボール加工装置。
【請求項３】
離脱体は切断紙片を上方から下方に向けて押えるものであることを特徴とする請求項１または請求項２記載の段ボール加工装置。
【発明の詳細な説明】
【技術分野】
【０００１】
本発明は段ボール加工装置に関し、特に、段ボールの加工に伴って発生する不要な切断紙片を、段ボールから除去するための紙片除去装置を備えた段ボール加工装置に関する。
【背景技術】
【０００２】
この種の段ボール加工装置として、下記特許文献１に記載の技術が提案されている。例えば段ボールは、これを箱状にするために、蓋および底に相当する領域の一部にスリットを形成する。このために、切断手段によってスリットに相当する部分を切除することが行われる。
【０００３】
特許文献１では、切断手段によって切断されることで発生する切断紙片を段ボールから除去させるために、切断紙片に対向する領域に紙片除去装置としてのエアーノズルを配置して切断紙片に上方から空気圧を付与する構成が採用されている。
【０００４】
またこの種の段ボール加工装置として、下記特許文献２に記載の技術が提案されている。これは、段ボールの搬送経路に、切断紙片を押圧するためのバネ体を設けて、このバネ体で切断紙片を押圧して、これを段ボールから除去するようにしている。
【先行技術文献】
【特許文献】
【０００５】
【特許文献１】特開２００６−１０２８４４号公報
【特許文献２】実用新案登録第３１１４００８号公報
【発明の概要】
【発明が解決しようとする課題】
【０００６】
しかしながら、特許文献１に記載のように、切断紙片に対向する領域にエアーノズルを配置して切断紙片に上方から空気圧を付与する構成では、空気圧の制御がむずかしく、発生する切断紙片の状態によっては切断紙片を段ボールから除去できない場合が考えられる。
【０００７】
また、特許文献２に記載の技術では、特許文献１に示すようなむずかしい制御は必要ないが、単に切断紙片を押圧しただけでは、切断紙片の搬送方向前後部は段ボールから外れても、切断紙片の幅方向端辺部が段ボールから離脱しない場合がある。
【０００８】
そこで本発明は上記課題に鑑み、切断紙片を段ボールから確実に離脱させて除去し得る段ボール加工装置の提供を目的とする。
【課題を解決するための手段】
【０００９】
本発明は、成形裁断されたシート状の段ボールを、その搬送経路後側から搬送経路前側へ移動させる過程において加工するための段ボール加工装置であって、前記段ボールにおける所定の幅方向長さ且つ搬送経路方向長さの一部領域を切断紙片として切断するための切断手段が搬送経路途中に設けられ、前記切断手段で切断された切断紙片を段ボールから除去するための除去手段が設けられ、該除去手段は切断紙片を押える離脱体、および該離脱体によって搬送経路前側部が段ボールから離脱された切断紙片の搬送経路後側部を段ボールから切除するためのスクレーパを備え、前記離脱体は段ボールの搬送経路に沿う移動に伴って、切断紙片をその搬送経路前側部から搬送経路後側部に至るよう押えるものであり、前記スクレーパは、段ボールの搬送経路に沿う移動に伴って段ボールと切断紙片との間に挿入されるものであることを特徴としている。
【００１０】
上記構成において、成形裁断された段ボールを搬送経路前側へ搬送する途上で、切断手段によって段ボールの所定の幅方向長さ且つ搬送経路方向長さの一部領域を切断して切断紙片とし、段ボールが搬送経路を移動すると、段ボールが移動するのに伴って、除去手段の離脱体が、切断紙片をその搬送経路前側部から搬送経路後側部へ至るよう押圧する。このため切断紙片は、段ボールに対してその離脱距離が、搬送経路前側から搬送経路後側に至るほど大きくなるよう傾いて、切断紙片が段ボールから離脱して、除去される。
【００１１】
さらに、上記構成において、切断紙片が離脱体の押圧だけでは除去されない場合、段ボールが搬送経路前側に移動すると、段ボールの搬送経路に沿う移動に伴って段ボールと切断紙片との間にスクレーパが挿入されるから、切断紙片の搬送経路後側部がスクレーパに当って、切断紙片がスクレーパで掻き取られるようにして段ボールから離脱し、除去される。
【００１２】
本発明の段ボール加工装置では、除去手段は搬送経路において、切断手段の搬送経路前側直近に配設されている構成を採用することができる。この構成によれば、切断手段で切断された切断紙片が、切断手段の直近位置で除去され、切断手段の搬送経路前側に段ボール加工のための他の設備があっても、その加工に切断紙片が邪魔にならない。
【００１３】
本発明の段ボール加工装置では、離脱体は切断紙片を上方から下方に向けて押えるものである構成を採用することができる。この構成によれば、切断紙片は段ボールに対して下方に除去されるから、紙粉の舞い上がりが抑えられる。
【発明の効果】
【００１４】
本発明の段ボール加工装置は、切断紙片を除去するための除去手段に、切断紙片を押える離脱体を備えており、段ボールの搬送経路に沿う移動に伴って、離脱体が切断紙片をその搬送経路前側部から搬送経路後側部へ至るよう押圧すると、切断紙片は、段ボールに対してその離脱距離が、搬送経路前側から搬送経路後側に至るほど大きくなるよう傾き、段ボールの移動に伴って切断紙片を段ボールから除去することができ、切断紙片が離脱体の押圧だけでは除去されない場合でも、段ボールが搬送経路前側に移動すると、段ボールの搬送経路に沿う移動に伴って段ボールと切断紙片との間にスクレーパが挿入されるから、切断紙片の搬送経路後側部がスクレーパに当たると、切断紙片がスクレーパで掻き取られるようにして段ボールから離脱し、確実に除去することができる。
【図面の簡単な説明】
【００１５】
【図１】本発明の第一の実施形態を表す段ボール加工装置の、全体側面図である。
【図２】同フォールディング部の後側からの正面図である。
【図３】同フォールディング部の要部側面図である。
【図４】同フォールディング部の後側からの要部斜視図である。
【図５】同フォールディング部の下側且つ後側からの要部斜視図である。
【図６】同フォールディング部の下側からの要部斜視図である。
【図７】同切断手段の側面図である。
【図８】同幅方向外側のサイドバネ部材の斜視図である。
【図９】同幅方向外側のサイドバネ部材の正面図である。
【図１０】同バネ受けの後上方からの全体斜視図である。
【図１１】同幅方向中央部に配置するセンターバネ部材の斜視図である。
【図１２】同センターバネ部材の正面図である。
【図１３】同センターバネ部材のバネ受けの単体斜視図である。
【図１４】同サイドスクレーパの単体斜視図である。
【図１５】同サイドスクレーパの側面図である。
【図１６】同センタースクレーパの側面図である。
【図１７】同センタースクレーパの平面図である。
【図１８】本発明の第二の実施形態を表す段ボール加工装置の、要部側面図である。
【図１９】同サイド離脱部の側面図である。
【図２０】同サイド離脱部の前側からの正面図である。
【図２１】同サイド離脱部の底面図である。
【図２２】同サイド離脱部の後側からの斜視図である。
【図２３】同センター離脱部を主とした要部平面図である。
【図２４】同センター離脱部を主とした後側からの正面図である。
【図２５】同センター離脱部の側面図である。
【図２６】同センター離脱部の平面図である。
【図２７】同センター離脱部の後側からの正面図である。
【図２８】同センター離脱部の後側からの斜視図である。
【発明を実施するための形態】
【００１６】
以下、本発明の一実施形態に係る段ボール加工装置を、図面に基づいて説明する。はじめに段ボール加工装置の第一の実施形態の全体概略構成を、図１に基づいて説明する。段ボール加工装置１は、給紙部２、印刷部３、スロッタ部４、ダイカッター部５、糊付部６を含むフォールディング部７、カウンターエジェクト部８等を、段ボール（以下、段ボール箱用紙という）１０の搬送経路後側Ｘ１から搬送経路前側Ｘ２に向けてこの順に配置されてなる。
【００１７】
給紙部２は、矩形に裁断されたシート状の段ボール箱用紙１０を積載した状態で、上位の段ボール箱用紙１０から一枚ずつ印刷部３へ送り出すよう構成されている。印刷部３は、段ボール箱用紙１０の表面に所定の印刷１２を施すよう構成されている。この場合、印刷部３では多色刷りが可能になっている（図１において、１色目、２色目と記載している）。スロッタ部４は、印刷１２が施された段ボール箱用紙１０に、折目の目安となる罫線１３を施すよう構成されている。
【００１８】
ダイカッター部５は、段ボール箱用紙１０を箱状に形成するのに必要な蓋片１４および底片１５を形成するために、段ボール箱用紙１０の一部を除去するよう構成されている。詳細については後述する。フォールディング部７は、糊代壁１１の糊代面に接着剤を塗布する糊付部６と、段ボール箱用紙１０において、糊代壁１１に対応する部分を重ねるように罫線１３に沿って折る折畳み機構部１７と、折畳み機構部１７で折畳まれた段ボール箱用紙１０を複数枚重ね、上方に設けたノズル１８から圧搾エアー２０を噴出させる積層部２１とを備えている。
【００１９】
図２ないし図６に示すように、フォールディング部７は、段ボール箱用紙１０をカウンターエジェクト部８へ向けて搬送するための左右・上下の搬送ベルト２２，２３と、搬送ベルト２２，２３の幅方向外側に配置された保護壁体２４，２５とを備える。さらにフォールディング部７は、搬送ベルト２２，２３の間に、段ボール箱用紙１０の幅方向中心側をその上面側および下面側で案内する、前後方向に長い上下一対のガイド部材２６，２７を有している。
【００２０】
搬送ベルト２２，２３は、段ボール箱用紙１０を上面１０ａおよび下面１０ｂで挟んで搬送するもので、上下の搬送ベルト２２，２３はその間に、段ボール箱用紙１０が通る隙間を形成することが可能なように構成されている。保護壁体２４，２５は、それぞれ上下一対の縦壁３０，３１から構成され、縦壁３０，３１どうしは、段ボール箱用紙１０（幅方向外側部）が通る隙間δ１を介して鉛直面内で保持されている。
【００２１】
上下一対のガイド部材２６，２７の間にも、段ボール箱用紙１０が通る隙間δ２が設けられている。このガイド部材２６，２７は、搬送ベルト２２，２３の間（中心位置から側方に位置ずれしている）にあって、搬送ベルト２２，２３の前部に相当する領域から後部に相当する領域に亙すよう設けられている。カウンターエジェクト部８は、フォールディング部７から搬送されてきた段ボール箱用紙１０を所定枚数の束にするよう構成されている。なお、その詳細な構成は省略する。
【００２２】
図７に示すように、本実施形態に係る段ボール加工装置１のダイカッター部５には、段ボール箱用紙１０における所定の幅方向長さ且つ搬送経路方向長さの一部領域を切断紙片３２（図３，図６参照）として切断するための切断手段３３が搬送経路途中に設けられている。
【００２３】
切断手段３３は、上下の送りローラ２９Ａ，２９Ｂの前側にあって、上下の回転軸３４，３５に装着されている切断ローラ３６および受けローラ３７と、切断ローラ３６および受けローラ３７の間に送られた段ボール箱用紙１０の一部所定領域を切断すべく、切断ローラ３６の外周面に備えられたカッター３８とから構成されている。
【００２４】
そして、切断ローラ３６および受けローラ３７の回転軸３４，３５回りの回転によって、段ボール箱用紙１０の一部所定領域を切断することで切断紙片３２を形成し、この切断紙片３２に相当する分のスリット４０（図５，図６参照）を、段ボール箱用紙１０に形成するよう構成されている。
【００２５】
前記一部所定領域を切断することで発生する切断紙片３２は、要するに、搬送方向両端部側に蓋となる前記蓋片１４、底となる前記底片１５を段ボール箱用紙１０にそれぞれ形成するために、搬送方向を長手方向として所定の幅を有した細長の長方形に形成される。
【００２６】
切断手段３３は、このような切断紙片３２を段ボール箱用紙１０に形成できるよう、切断ローラ３６および受けローラ３７におけるカッター３８およびスリット４０の、軸方向位置および周方向位置、あるいはカッター３８およびスリット４０の軸方向幅、あるいは切断ローラ３６および受けローラ３７の径が任意に設定される。
【００２７】
なおこの実施形態では、切断紙片３２は、段ボール箱用紙１０の搬送経路後端部側と、搬送経路前端部側の双方の部位において、その幅方向の途中部分に、間欠的に三箇所の領域に発生するよう切断手段３３が構成されている。したがって、スリット４０も切断紙片３２が発生する部位に形成されることになる。
【００２８】
図２ないし図６に示すように、フォールディング部７には、切断手段３３で切断された切断紙片３２の全部を段ボール箱用紙１０から除去する（離脱させる）ための除去手段４１が設けられている。除去手段４１は、バネ部材（離脱体に相当する）と、スクレーパ（ブレード）とを備えている。
【００２９】
バネ部材は、段ボール箱用紙１０の搬送経路Ｄに沿う移動に伴って、切断紙片３２をその搬送経路前側部３２ａから搬送経路後側部３２ｂ（図３，図６参照）に至るよう押えるよう構成されている。
【００３０】
この実施形態では、切断紙片３２を段ボール箱用紙１０の幅方向の途中部分に間欠的に三箇所設ける（形成する）ため、バネ部材もまた、該三箇所に対応する位置に配置されている。具体的には、三つ（二種類）のバネ部材、すなわち幅方向外側のサイドバネ部材４２と、サイドバネ部材４２の間に配置されたセンターバネ部材４３を備えている。
【００３１】
サイドバネ部材４２は、フォールディング部７の、上側の縦壁３０に、バネ取付け部材４４を介して設けられている。サイドバネ部材４２のバネ取付け部材４４は、ダイカッター部５から段ボール箱用紙１０がフォールディング部７に給紙された直後の部位に設けられている。具体的には、バネ取付け部材４４は、上側の縦壁３０のうち、ダイカッター部５側に近い部位に取付けられている。
【００３２】
左右何れのバネ取付け部材４４も、上側の縦壁３０の側面に側方から固定される。バネ取付け部材４４は、サイドバネ部材４２をその下側で支持するバネ受け４６と、サイドバネ部材４２をその上側で支持するバネ押え５０とから構成されている。
【００３３】
図８および図９に示すように、サイドバネ部材４２は、被取付け部５２と、被取付け部５２の端部（搬送経路後側端部）から湾曲しつつ下方に延設された緩衝部５４と、緩衝部５４の下端部から搬送経路前側斜め下方に延設された押え部５６とから一体的に形成されている。被取付け部５２の搬送経路前側端部には、下方に向けて折曲した係止片５８が一体的に形成されている。
【００３４】
被取付け部５２は、単純な長方形の平板状に形成され、緩衝部５４は、被取付け部５２側が被取付け部５２の左右幅に等しく設定され、下方に位置するほど幅狭く形成されている。押え部５６は、その長手方向に同一の幅に形成されている。
【００３５】
押え部５６の下端部５６ａは、水平前方に向けて折曲されて前部ほど幅狭く形成されている。被取付け部５２は、搬送されてくる段ボール箱用紙１０の上面１０ａよりも上方に位置するよう配置される。サイドバネ部材４２の下端部５６ａは、搬送されてくる段ボール箱用紙１０の下面１０ｂよりも下側にあるよう設定されている（位置付けられている）。
【００３６】
図１０に示すように、バネ受け４６は、上側の縦壁３０の内側面３０ａに当接して固定される当接部６０と、当接部６０の下部から側方に向けて折曲された保持部６１とから一体的に形成されている。当接部６０は、単純な板状に形成され、その板面に複数の取付け孔６０ａが形成されている。保持部６１はサイドバネ部材４２の被取付け部５２を載置する載置部６２と、サイドバネ部材４２の緩衝部５４の湾曲状態を規制するよう保持する規制部６３とから一体的に形成されている。この規制部６３は、載置部６２に対して後方に突出するよう形成されている。
【００３７】
保持部６１には、当接部６０から離れる端部側に、サイドバネ部材４２の被取付け部５２および緩衝部５４を嵌合支持する保持溝６５が形成されている。この保持溝６５は、サイドバネ部材４２の被取付け部５２が上方から嵌合する第一溝部６７と、第一溝部６７に連続して規制部６３の表面に形成された、側面視して湾曲した第二溝部７０とから形成されている。
【００３８】
第一溝部６７は、被取付け部５２に合致する形状に形成され、第二溝部７０は緩衝部５４に合致するよう、下方ほど幅狭くした形状に形成されている。また、第一溝部６７の前端は、載置部６２の前端にまで至っている。また、第一溝部６７の前端底部は、前方向に下傾斜する傾斜面７２に形成されている。
【００３９】
バネ押え５０は、単純な矩形板状に形成されている（図２ないし図４参照）。その横板面が縦壁３０の前記側面とは反対側の側面に当接するとともに、サイドバネ部材４２の被取付け部５２を保持溝６５のうち第一溝部６７に嵌合した状態（図１０参照）で、下面が載置部６２の上面６２ａと面一になり、被取付け部５２を、上方から覆うものである。このバネ押え５０の板面には取付け孔５０ａが形成されている。
【００４０】
サイドバネ部材４２の係止片５８を載置部６２の前面に前方から係止するよう、また被取付け部５２を第一溝部６７に上方から嵌め、バネ押え５０を、その下面が載置部６２の上面６２ａに面一となるよう被取付け部５２を上方から覆い、取付け孔５０ａにボルト等の締結手段を挿通し、上側の縦壁３０に螺合する。これによって、サイドバネ部材４２がバネ取付け部材４４から上方および前後方向に離脱するのが防止されており、サイドバネ部材４２がバネ取付け部材４４に保持された状態となる。
【００４１】
以上のサイドバネ部材４２の構成およびバネ取付け部材４４の構成は、左右それぞれにおいて同一であり、バネ取付け部材４４は、上側の各縦壁３０において、それぞれ幅方向左右使い（左右で対象の構成となる使い方）をされている。
【００４２】
図１１および図１２に基づいて、幅方向中央部に配置するセンターバネ部材４３の構成を説明する。センターバネ部材４３は、被取付け部５３と、被取付け部５３の端部（搬送経路後側端部）から湾曲しつつ下方に延設された緩衝部５５と、緩衝部５５の下端部から搬送経路前側斜め下方に延設された押え部５７とから一体的に形成されている。被取付け部５３の板面には、前後に離間した保持孔５３ａが形成されている。押え部５７の下端部５７ａは、水平な前方に向けて折曲されて前部ほど幅狭く形成されている。
【００４３】
図２および図４に示すように、センターバネ部材４３は、バネ取付け部材４５を介して上方のガイド部材２６の後端部上面に固定されている。センターバネ部材４３のバネ取付け部材４５は、バネ受け４７と、バネ押え５１とから構成されている。図１３に示すように、バネ受け４７は、上方のガイド部材２６の後端部上面に当接して固定される本体７３と、規制部６４とから一体的に形成されている。バネ受け４７における規制部６４の構成は、サイドバネ部材４２を取付けるバネ受け４６とほぼ同様の構成である。
【００４４】
本体７３は、前後方向に長尺の、偏平な角柱状に形成されている。規制部６４は本体７３の前端部に下方に突出するよう形成されている。本体７３の上面７３ａの前部および規制部６４の前面に、センターバネ部材４３が嵌合してこれを保持する保持溝６６が形成されている。
【００４５】
保持溝６６は、センターバネ部材４３の被取付け部５３が上方から嵌合する第一溝部６８と、緩衝部５５が前方から嵌合する第二溝部７１とからなる。第一溝部６８は被取付け部５３に合致する形状に形成され、第二溝部７１はセンターバネ部材４３の緩衝部５５に合致するよう、下方ほど幅狭くした形状に形成されている。
【００４６】
第一溝部６８の前端部は、本体７３の上面７３ａの途中まで延長されている。第一溝部６８の底面には、被取付け部５３に形成した保持孔５３ａに対向（連通）する支持孔６８ａが上下方向に貫通して形成されている。第一溝部６８に被取付け部５３を嵌合し、第二溝部７１に緩衝部５５を嵌合して、保持孔５３ａ、支持孔６８ａにボルト等の締結手段を挿通することで、センターバネ部材４３が本体７３に固定されている。また、本体７３の後部板面には、本体７３の固定用孔７３ｂが形成されている。
【００４７】
バネ押え５１については、図２、図４を参照して説明する。バネ押え５１は、単純な矩形板状に形成され、固定用孔７３ｂに対応（連通）する貫通孔５１ａおよび保持孔５３ａに対応する貫通孔５１ｂが形成されている。貫通孔５１ａおよび固定用孔７３ｂにボルト等の締結手段を挿通し、上方のガイド部材２６に螺合し、貫通孔５１ｂ、保持孔５３ａおよび支持孔６８ａにボルト等の締結手段を挿通して本体７３に螺合する。そうすると、バネ受け４７が上方のガイド部材２６に固定され、バネ押え５１がセンターバネ部材４３（被取付け部５３）を上方から覆った状態で、バネ受け４７が上方のガイド部材２６に固定される。
【００４８】
上記構成において、センターバネ部材４３の被取付け部５３は、搬送されてくる段ボール箱用紙１０の表面よりも上方に位置するよう配置される。センターバネ部材４３の下端部５７ａは、搬送されてくる段ボール箱用紙１０の下面１０ｂよりも下側にあるよう設定されている（位置付けられている）。
【００４９】
次に、図２ないし図６，図１４および図１５に基づいて、幅方向両側（左右）に設けたサイドスクレーパ７４の構造を説明する。サイドスクレーパ７４は、下側の縦壁３１のダイカッター部５側寄りに、上下方向に移動自在に固定されるスクレーパ取付け部材７５と、このスクレーパ取付け部材７５に一体的に形成されたスクレーパ本体７６とから構成されている。スクレーパ取付け部材７５は、単純な平板状に形成され、その板面に上下方向に長い長孔７５ａが形成されている。
【００５０】
スクレーパ本体７６は、スクレーパ取付け部材７５の上端前部に後方へ突出するよう形成されている。具体的に、スクレーパ本体７６は、スクレーパ取付け部材７５の上端前部から斜め後方へ向けて上傾斜する基部７８と、基部７８の幅方向外方端部から上方へ向けて凸となるよう湾曲した掻落し部８０とから一体的に形成されている。
【００５１】
基部７８は、所定の幅を有して、この場合、スクレーパ本体７６を、スクレーパ取付け部材７５から所定距離だけ幅方向外側に位置ずれさせた構成となっている。基部７８の上面７８ａは略平面に形成され、サイドスクレーパ７４は下側の縦壁３１に取付けた状態で、基部７８の上面７８ａが略水平になるよう設定される。
【００５２】
したがって、掻落し部８０の下端部８０ａは、掻落し部８０の湾曲方向長さに応じた分だけ、搬送されてくる段ボール箱用紙１０の下面に対して下方に位置している。また、スクレーパ本体７６は、平面視してサイドバネ部材４２に対して、搬送経路前側Ｘ２にあるよう配置されている。
【００５３】
次に、図２，図４，図１６，図１７に基づいて、幅方向両側のサイドスクレーパ７４の中央位置に配置されるセンタースクレーパ８１の構成を説明する。センタースクレーパ８１は、下側のガイド部材２７に取付けられる脚部材８２と、脚部材８２の上端部に一体的に形成されたスクレーパ本体７７とから一体的に構成されている。
【００５４】
脚部材８２は、下側のガイド部材２７に固定される平板状の固定部８３と、固定部８３から上方に折曲されるよう立上げられた平板状の脚部８４とから、側面視してＬ字形に形成されている。固定部８３には、ボルト等の締結手段を挿通する取付け孔８３ａが前後に離間して形成されている。脚部８４は、下側のガイド部材２７の後端面に沿うよう立上げられている。
【００５５】
スクレーパ本体７７は、後方に向けて斜め上方へ傾斜した板状に形成され、その上端面７７ａは、センタースクレーパ８１が下側のガイド部材２７に取付けられた状態で、略水平になるよう形成されている。なお、スクレーパ本体７７の左右幅は固定部８３の左右幅よりも大きく形成されて、スクレーパ本体７７の両端部側が固定部８３に対して左右に張り出すよう構成されている。また、スクレーパ本体７７は、平面視してセンターバネ部材４３に対して搬送経路前側Ｘ２にあるよう配置されている。
【００５６】
次に作用を説明する。段ボール加工装置１において、矩形に成形裁断されたシート状の段ボール箱用紙１０を一枚ずつ、搬送経路Ｄにおける搬送経路後側Ｘ１から搬送経路前側Ｘ２に向けて、給紙部２から印刷部３へ搬送（給紙）すると、図１に示すように、段ボール箱用紙１０の表面に多色の印刷１２が施されて、段ボール箱用紙１０はさらにスロッタ部４に搬送される。スロッタ部４では、段ボール箱用紙１０に、折目の目安となる罫線１３が施される。この場合では、罫線１３は幅方向に離間した三箇所（スリット４０を形成する幅方向位置と同じ位置）に設けられる。
【００５７】
罫線１３が施された段ボール箱用紙１０は、さらにダイカッター部５へ搬送され、段ボール箱用紙１０の幅方向一端辺部の搬送方向の前後部を切断することで、段ボール箱用紙１０を箱状に形成するための糊代壁１１が形成される。また、段ボール箱用紙１０における所定の幅方向長さ且つ搬送経路方向長さの一部領域が、切断手段３３によって切断される。このとき切断された領域に、切断紙片３２が発生する。
【００５８】
段ボール箱用紙１０は、さらに搬送経路前側Ｘ２に向けて、フォールディング部７へ搬送される。フォールディング部７には、切断手段３３で切断された切断紙片３２の全部を段ボール箱用紙１０から除去する（離脱させる）ための除去手段４１が設けられており、この除去手段４１によって切断紙片３２が段ボール箱用紙１０から除去される。
【００５９】
また、段ボール箱用紙１０は糊付部６で、糊代壁１１に糊付けがされ、さらに折畳み機構部１７に搬送されて、糊代壁１１に対応する部分を重ねるように罫線１３に沿って折畳まれ（例えば幅方向外側の二つの罫線１３）、カウンターエジェクト部８で段ボール箱用紙１０が所定枚数の束にされる。その後、例えば段ボール箱用紙１０に対して紙粉が除去される工程を経て、段ボール箱用紙１０は、これを箱状に形成するのに必要な蓋片１４および底片１５が形成されたうえで出荷される。
【００６０】
ここで、除去手段４１によって切断紙片３２が段ボール箱用紙１０から除去される作用について、詳細に説明する。切断手段３３によって段ボール箱用紙１０の一部が切断されるから、基本的には、段ボール箱用紙１０は、搬送経路前側Ｘ２に搬送されて切断手段３３から離脱すれば、切断紙片３２は段ボール箱用紙１０から落下し、ダイカッター部５とフォールディング部７との間で切断紙片回収容器（図示せず）に回収される。
【００６１】
しかしながら切断手段３３は、切断ローラ３６および受けローラ３７の回転軸３４，３５回りの回転によって、段ボール箱用紙１０の一部所定領域を切断させて切断紙片３２とするものであるから、切断紙片３２の例えばサイド側が段ボール箱用紙１０から離れきらない場合も多い。
【００６２】
このような場合では、段ボール箱用紙１０が搬送経路前側Ｘ２に搬送されてフォールディング部７に至ると、段ボール箱用紙１０の搬送移動に伴って、回収されなかった両サイドの切断紙片３２がサイドバネ部材４２によって押えられて落ち、切断紙片回収容器に回収される。
【００６３】
このときサイドバネ部材４２の下端部５６ａは、搬送されてくる段ボール箱用紙１０の下面１０ｂよりも下側にあるよう設定されている。このため、切断紙片３２は、サイドバネ部材４２の押え部５６が搬送経路前側部３２ａから当接して、段ボール箱用紙１０の搬送移動に伴って、切断紙片３２の搬送経路後側部３２ｂを押圧するようになって、結局、切断紙片３２を長手方向に亙るように押圧し、回収されなかった切断紙片３２を段ボール箱用紙１０から取除くことができる。
【００６４】
幅方向中心側の切断紙片３２においても同様に、回収されなかった切断紙片３２がサイドバネ部材４２によって押えられて落ち、回収される。このとき、センターバネ部材４３の下端部５７ａは、搬送されてくる段ボール箱用紙１０の下面１０ｂよりも下側にあるよう設定されているから、切断紙片３２は、センターバネ部材４３の押え部５７が搬送経路前側部３２ａから当接して、段ボール箱用紙１０の搬送移動に伴って、切断紙片３２の搬送経路後側部３２ｂを押圧するようになって、結局、切断紙片３２を長手方向に亙るように押圧する。このため、回収されなかった切断紙片３２を段ボール箱用紙１０から取除くことができる。
【００６５】
サイドバネ部材４２、センターバネ部材４３における切断紙片３２の上方からの押圧は、段ボール箱用紙１０の前部の切断紙片３２が終了すれば、段ボール箱用紙１０の搬送移動により、段ボール箱用紙１０の後部の切断紙片３２についても同様に行われて、回収されなかった切断紙片３２を段ボール箱用紙１０から取除くことができる。
【００６６】
サイドバネ部材４２の下端部５６ａ、センターバネ部材４３の下端部５７ａは、ともに搬送されてくる段ボール箱用紙１０の下面１０ｂよりも下側にあるよう設定されているから、段ボール箱用紙１０が搬送移動されると、サイドバネ部材４２の押え部５６、センターバネ部材４３の押え部５７は、段ボール箱用紙１０の上面１０ａに摺動することになる。
【００６７】
しかしながら、サイドバネ部材４２、センターバネ部材４３は、ともに緩衝部５４，５５を有し、押え部５６，５７はその下方が前方に向けてした傾斜するよう形成されている。このため、サイドバネ部材４２、センターバネ部材４３には充分な緩衝性が付与されていて、サイドバネ部材４２の押え部５６、センターバネ部材４３の押え部５７が段ボール箱用紙１０の上面１０ａに摺動しても、段ボール箱用紙１０の上面１０ａを損傷させることがない。
【００６８】
ところで、切断紙片３２の、例えばサイド側が段ボール箱用紙１０から離れきらない場合などでは、サイドバネ部材４２、センターバネ部材４３を用いても、切断紙片３２を段ボール箱用紙１０から取除くことができない場合がある。しかしながら、本発明の実施形態に係る段ボール加工装置１では、サイドスクレーパ７４およびセンタースクレーパ８１を設けている。
【００６９】
すなわち、仮にサイドバネ部材４２あるいはセンターバネ部材４３でも、切断紙片３２が段ボール箱用紙１０から取除かれなかった場合では、段ボール箱用紙１０の搬送移動によって、サイドスクレーパ７４のスクレーパ本体７６、特にその掻落し部８０が、段ボール箱用紙１０の下面１０ｂと切断紙片３２との間に介入し（挿入され）、さらに段ボール箱用紙１０が搬送移動することによって、切断紙片３２が段ボール箱用紙１０から掻取られるようにして取除かれ、落下する。
【００７０】
段ボール箱用紙１０は、その幅が広いほど幅方向両側部分は下方に撓み易い。しかしながら、サイドスクレーパ７４のスクレーパ本体７６における掻落し部８０は、基部７８の幅方向外方端部から上方へ向けて凸となるよう湾曲し、掻落し部８０の下端部８０ａは、掻落し部８０の湾曲方向長さに応じた分だけ、搬送されてくる段ボール箱用紙１０の下面に対して下方に位置している。
【００７１】
このため、段ボール箱用紙１０の幅方向両側部分が下方に撓んでいたとしても、掻落し部８０がスリット４０を形成する壁に係止してしまい、段ボール箱用紙１０の搬送移動を妨げるような状態を回避し、段ボール箱用紙１０の搬送移動を円滑に案内することができる。また、サイドスクレーパ取付け部材７５は、長孔７５ａによって、縦壁３１への取付け位置を調節することができる。このため、段ボール箱用紙１０のサイズ（幅方向長さ）に応じて、掻落し部８０の高さ位置そのものを調節でき、段ボール箱用紙１０の撓み量に対応することができる。
【００７２】
また、サイドスクレーパ７４では、スクレーパ本体７６を、スクレーパ取付け部材７５の上端前部に後方へ大きく突出するよう形成している構成により、スクレーパ本体７６の下方に、スクレーパ取付け部材７５が至らない（無い）ようにしている。換言すれば、スクレーパ本体７６の下方に大きなスペースが形成されている。このため、段ボール箱用紙１０から取除かれた切断紙片３２がスクレーパ取付け部材７５とスクレーパ本体７６の間に噛込んでしまうといった現象を効果的に回避することができる。
【００７３】
以上のように、本発明の実施形態における段ボール加工装置１では、サイドバネ部材４２およびセンターバネ部材４３で、段ボール箱用紙１０の搬送移動に伴って切断紙片３２を上方から、搬送経路前側部３２ａから搬送経路後側部３２ｂにかけて押圧することで、切断手段３３で切断しても除去しきれなかった切断紙片３２を、効果的に除去することができる。また、サイドバネ部材４２およびセンターバネ部材４３でも除去できなかった切断紙片３２は、サイドスクレーパ７４あるいはセンタースクレーパ８１によって、確実に除去することができる。
【００７４】
なお、サイドバネ部材４２、センターバネ部材４３、サイドスクレーパ７４、センタースクレーパ８１の搬送方向での設置位置は、段ボール箱用紙１０のサイズや、該サイズによって決定されるスリット４０の搬送方向長さに応じて、適宜変更できるよう構成することが好ましい。
【００７５】
また、縦壁３０，３１、ガイド部材２６，２７の幅方向位置を変更できる構成とすることで、サイドバネ部材４２、センターバネ部材４３、サイドスクレーパ７４、センタースクレーパ８１の幅方向での設置位置を、段ボール箱用紙１０のサイズや、該サイズによって決定されるスリット４０の幅方向位置に対応させることができる。
【００７６】
上記実施形態では、サイドバネ部材４２は縦壁３０に、バネ取付け部材４４を介して縦壁３０の幅方向外側に配置した。また、サイドスクレーパ７４の掻落し部８０は、縦壁３１の幅方向外側にスクレーパ取付け部材７５を取付けることで、縦壁３１の幅方向外側に配置した。しかしながら、サイドバネ部材４２は縦壁３０に、バネ取付け部材４４を介して縦壁３０の幅方向内側に配置し、サイドスクレーパ７４の掻落し部８０は、縦壁３１の幅方向内側にスクレーパ取付け部材７５を取付けることで、縦壁３１の幅方向内側に配置することもできる。
【００７７】
次に、図１８ないし図２８に基づいて、本発明の第二の実施形態を説明する。第二の実施形態が第一の実施形態と異なる構成は、切断紙片を除去するための除去手段である。特に、離脱体およびその取付け部分からなる離脱部の構成が異なる。なお、スクレーパの構成、およびその他の構成については上記第一の実施形態と同様であるので、同一の符号を付してその説明を省略する。
【００７８】
以下、前記離脱部の構成について詳述する。離脱部は、図１８ないし図２２に示すサイド離脱部１００と、図２３ないし図２８に示すセンター離脱部１０１とから構成されている。まず、図１８ないし図２２に基づいて、サイド離脱部１００の構成を説明する。サイド離脱部１００は、左右それぞれにおいて同一であり、上側の各縦壁３０において、それぞれ幅方向左右使い（左右で対象の構成となる使い方）をされるので、一方のサイド離脱部１００の構成の説明をもって他方のサイド離脱部１００の構成の説明を代用する。
【００７９】
サイド離脱部１００は、縦壁３０に取付けられる。サイド離脱部１００は、切断紙片３２（図３参照）を押圧するサイド押圧部材１０２と、サイド押圧部材１０２を縦壁３０の下部に取付けるためのサイド取付け部材１０３と、このサイド取付け部材１０３にサイド押圧部材１０２を回動自在に支持する支持バネ部材１０４とから構成されている。
【００８０】
サイド取付け部材１０３は、縦壁３０の下面に当接するサイド取付台１０６と、サイド取付台１０６の幅方向端部から立設して縦壁３０の下部側面に当接する取付壁１０７と、支持バネ部材１０４を支持するバネ支持片１０８とから一体的に形成されている。
【００８１】
サイド取付台１０６および取付壁１０７はそれぞれ平板状に形成され、取付壁１０７はサイド取付台１０６の搬送経路前側寄りに配置されている。取付壁１０７には、取付けボルト（図示せず）が挿入される取付孔１０７ａが前後に振り分けて形成されている。バネ支持片１０８はサイド取付台１０６の搬送経路後側端部に配置されるとともに、サイド取付台１０６から下方に向けて突出するよう形成されている。バネ支持片１０８はサイド取付台１０６の幅方向両側に、対向して配置されている。バネ支持片１０８に支軸１０９が渡されている。
【００８２】
サイド押圧部材１０２は，それ自体ではバネ性は備えておらず、支持バネ部材１０４の弾性によって付勢されるよう構成されている。すなわちサイド押圧部材１０２は支軸１０９回りに回動自在に支持された平板状の基部１１０と、基部１１０の下端から基部１１０に直交するする方向に延長されたサイド押圧杆１１２とから一体的に形成されている。サイド押圧杆１１２は、基部１１０の幅方向外方寄りに配置されている。
【００８３】
支持バネ部材１０４としてキックバネが好適に用いられ、支持バネ部材１０４は支軸１０９を外嵌して、一端部１０４ａがサイド取付台１０６の下面に当接し、他端部１０４ｂが基部１１０の裏面に当接するよう設けられている。この構成により、サイド押圧部材１０２は、そのサイド押圧杆１１２がサイド取付台１０６から離間する方向に付勢されている。上記構成のサイド離脱部１００とサイドスクレーパ７４との位置関係は、上記第一の実施形態と同様である。
【００８４】
次に、図２３ないし図２８に基づいて、センター離脱部１０１の構成を説明する。センター離脱部１０１は、上方のガイド部材２６に取付けられる。センター離脱部１０１は、切断紙片３２を押圧するセンター押圧部材１１３と、センター押圧部材１１３をガイド部材２６に取付けるためのセンター取付け部材１１４と、このセンター取付け部材１１４にセンター押圧部材１１３を回動自在に支持する支持バネ部材１０５とから構成されている。
【００８５】
センター取付け部材１１４は、ガイド部材２６の上面に当接するセンター取付台１１５と、センター取付台１１５の後側部から下方に垂下する垂下壁１１６と、垂下壁１１６の下端後側部から前方に延長された支持壁１１７と、支持バネ部材１０５を支持するバネ支持片１１８とから一体的に形成されている。センター取付台１１５、垂下壁１１６および支持壁１１７はそれぞれ平板状に形成されている。
【００８６】
センター取付台１１５には、取付けボルト（図示せず）が挿入される取付孔１１５ａが前後に振り分けて形成されている。バネ支持片１１８は、支持壁１１７の搬送経路後側端部に配置されるとともに、支持壁１１７から下方に向けて突出するよう形成されている。バネ支持片１１８は支持壁１１７の幅方向両側に、対向して配置されている。バネ支持片１１８に支軸１１９が渡されている。
【００８７】
センター押圧部材１１３は、それ自体ではバネ性は備えておらず、支持バネ部材１０５の弾性によって付勢されるよう構成されている。すなわちセンター押圧部材１１３は、支軸１１９回りに回動自在に支持された平板状の基部１２０と、基部１２０の下端から基部１２０に直交するする方向に延長されたセンター押圧杆１２１とから一体的に形成されている。このセンター押圧杆１２１は、基部１２０の幅方向中心に配置されている。
【００８８】
支持バネ部材１０５として、キックバネが好適に用いられ、支持バネ部材１０５は支軸１１９を外嵌して、一端部１０５ａが支持壁１１７の下面に当接し、他端部１０５ｂが基部１２０の裏面に当接するよう設けられている。この構成により、センター押圧部材１１３は、そのセンター押圧杆１２１が支持壁１１７から離間する方向に付勢されている。上記構成のセンター離脱部１０１とセンタースクレーパ８１との位置関係は、上記第一の実施形態と同様である。
【００８９】
上記構成において、段ボール箱用紙１０がダイカッター部５を通ってフォールディング部７に給紙され、搬送経路前側Ｘ２に向けて段ボール箱用紙１０がさらに移動すると、段ボール箱用紙１０の一部所定領域のうち、段ボール箱用紙１０の幅方向外側寄りに形成された切断紙片３２は、サイド押圧部材１０２のサイド押圧杆１１２によって下方に押圧されて段ボール箱用紙１０から離脱し、切断紙片回収容器に回収される。また、段ボール箱用紙１０の一部所定領域のうち、段ボール箱用紙１０の幅方向中心側に形成された切断紙片３２は、センター押圧部材１１３のセンター押圧杆１２１によって下方に押圧されて段ボール箱用紙１０から離脱し、切断紙片回収容器に回収される。このように、サイド押圧杆１１２およびセンター押圧杆１２１は、切断紙片３２をその搬送経路前側Ｘ２から搬送経路後側Ｘ１に至るよう押えて離脱させる。
【００９０】
サイド押圧杆１１２（サイド押圧部材１０２）、センター押圧杆１２１（センター押圧部材１１３）は、それぞれ支持バネ部材１０４，１０５の弾性によって、支軸１０９，１１９回りに下方に付勢されている。そして、段ボール箱用紙１０が移動して、切断紙片３２がサイド押圧杆１１２、センター押圧杆１２１に接触すると、サイド押圧杆１１２、センター押圧杆１２１には、切断紙片３２から、これを押圧する反力が働き、その反力に相当する分だけサイド押圧杆１１２、センター押圧杆１２１が、それぞれ支持バネ部材１０４，１０５の弾性に抗して、支軸１０９，１１９回りに上方へ移動する（図１９，２５の仮想線に示す）。あるいは、サイド押圧杆１１２、センター押圧杆１２１が段ボール箱用紙１０の上面１０ａにより押圧されても同様に、サイド押圧杆１１２、センター押圧杆１２１が、それぞれ支持バネ部材１０４，１０５の弾性に抗して、支軸１０９，１１９回りに上方へ移動する。
【００９１】
そして、第二の実施形態では、サイド押圧杆１１２およびセンター押圧杆１２１それ自体にはバネ性を付与せずに所定の剛性を付与して、支持バネ部材１０４，１０５によって支軸１０９，１１９回りに回動（揺動）自在としている。このため、サイド押圧杆１１２およびセンター押圧杆１２１の長寿命化を図ることができる。他の構成および作用効果は、上記第一の実施形態と同様である。
【符号の説明】
【００９２】
１…段ボール加工装置、２…給紙部、３…印刷部、４…スロッタ部、５…ダイカッター部、６…糊付部、７…フォールディング部、８…カウンターエジェクト部、１０…段ボール箱用紙、１０ａ…上面、１０ｂ…下面、１３…罫線、１７…折畳み機構部、２２，２３…搬送ベルト、２４，２５…保護壁体、２６，２７…ガイド部材、３０，３１…縦壁、３２…切断紙片、３２ａ…搬送経路前側部、３２ｂ…搬送経路後側部、３３…切断手段、４０…スリット、４１…除去手段、４２…サイドバネ部材、４３…センターバネ部材、４４，４５…バネ取付け部材、５２，５３…被取付け部、５４，５５…緩衝部、５６，５７…押え部、６３，６４…規制部、６５，６６…保持溝、７３…本体、７４…サイドスクレーパ、７６，７７…スクレーパ本体、８０…掻落し部、８１…センタースクレーパ、Ｄ…搬送経路、Ｘ１…搬送経路後側、Ｘ２…搬送経路前側
【要約】
【課題】  切断紙片を段ボールから確実に離脱させて除去し得る段ボール加工装置の提供。
【解決手段】  段ボールにおける所定の幅方向長さ且つ搬送経路方向長さの一部領域を切断紙片として切断するための切断手段が搬送経路途中に設けられ、切断手段で切断された切断紙片を段ボールから除去するための除去手段が設けられ、除去手段は切断紙片を押える離脱体、および離脱体によって搬送経路前側部が段ボールから離脱された切断紙片の搬送経路後側部を段ボールから切除するためのスクレーパを備え、離脱体は段ボールの搬送経路に沿う移動に伴って、切断紙片をその搬送経路前側部から搬送経路後側部に至るよう押えるものであり、スクレーパは、段ボールの搬送経路に沿う移動に伴って段ボールと切断紙片との間に挿入される構成の段ボール加工装置。
【選択図】  図３【図１】
0004728443.tif 000002
【図２】
0004728443.tif 000003
【図３】
0004728443.tif 000004
【図４】
0004728443.tif 000005
【図５】
0004728443.tif 000006
【図６】
0004728443.tif 000007
【図７】
0004728443.tif 000008
【図８】
0004728443.tif 000009
【図９】
0004728443.tif 000010
【図１０】
0004728443.tif 000011
【図１１】
0004728443.tif 000012
【図１２】
0004728443.tif 000013
【図１３】
0004728443.tif 000014
【図１４】
0004728443.tif 000015
【図１５】
0004728443.tif 000016
【図１６】
0004728443.tif 000017
【図１７】
0004728443.tif 000018
【図１８】
0004728443.tif 000019
【図１９】
0004728443.tif 000020
【図２０】
0004728443.tif 000021
【図２１】
0004728443.tif 000022
【図２２】
0004728443.tif 000023
【図２３】
0004728443.tif 000024
【図２４】
0004728443.tif 000025
【図２５】
0004728443.tif 000026
【図２６】
0004728443.tif 000027
【図２７】
0004728443.tif 000028
【図２８】
0004728443.tif 000029